(57)【要約】【課題】段ボール箱体内の、長材の巻回された巻回部を安定して回動させることができ、長材の配設作業の効率を向上させることができる、長材の梱包装置を提供する。【解決手段】梱包装置２は、周回状に巻回された通水管１を収容する段ボール箱体３を備える。段ボール箱体３には、その段ボール箱体３を、通水管１の巻回された巻回部１ａの一方の側面１ｂが下向きとなる状態で、回動可能に支持するターンテーブル４が設けられる。そして、段ボール箱体３は、通水管１を、その端部から順に外に引き出すための引出部３ａを有し、その引出部３ａからの通水管１の引き出しに伴って、段ボール箱体３が、ターンテーブル４に支持されて回動する。【選択図】　図１
2004075077.tif 000002
【特許請求の範囲】
【請求項１】
可撓性を備えた長材を梱包する梱包装置であって、
周回状に巻回された前記長材を収容する段ボール箱体を備え、
前記段ボール箱体には、その段ボール箱体を、前記長材の巻回された巻回部の一方の側面が下向きとなる状態で、回動可能に支持するターンテーブルが設けられ、
前記段ボール箱体は、前記長材を、その端部から順に外に引き出すための引出部を有し、前記引出部からの前記長材の引き出しに伴って、前記段ボール箱体が、前記ターンテーブルに支持されて前記巻回部が解かれるよう回動することを特徴とする、長材の梱包装置。
【請求項２】
前記ターンテーブルは、前記巻回部の一方の側面が下向きとなる状態で前記段ボール箱体が載置されるテーブル本体と、そのテーブル本体を回動可能に支持する支持体とからなることを特徴とする、請求項１に記載の、長材の梱包装置。
【請求項３】
前記ターンテーブルは、前記段ボール箱体を形成する壁部と一体となるよう、かつ、前記段ボール箱体から分離可能に形成されて、
前記ターンテーブルが、前記段ボール箱体から分離された後に、前記段ボール箱体は、前記テーブル本体に載置されることを特徴とする、請求項２に記載の、長材の梱包装置。
【請求項４】
前記ターンテーブルは、前記支持体が前記段ボール箱体の内側を向いた状態で、前記壁部と一体となることを特徴とする、請求項３に記載の、長材の梱包装置。
【請求項５】
前記ターンテーブルは、前記引出部を塞ぐようにして、前記壁部と一体となり、前記ターンテーブルが前記段ボール箱体から分離されることで、前記引出部が開口することを特徴とする、請求項４に記載の、長材の梱包装置。
【請求項６】
前記テーブル本体と前記支持体とが擦る部分には、前記テーブル本体の回動を円滑にするための、滑材のコーティング層が設けられていることを特徴とする、請求項２ないし５のいずれか１項に記載の、長材の梱包装置。
【請求項７】
前記長材は、合成樹脂製の可撓性を備えた配管材であることを特徴とする、請求項１ないし６のいずれか１項に記載の、長材の梱包装置。
【請求項８】
前記配管材は、架橋ポリエチレン製あるいはポリブデン製の通水管であることを特徴とする、請求項７に記載の、長材の梱包装置。
【発明の詳細な説明】
【０００１】
【発明の属する技術分野】
この発明は、可撓性を備えた配管材あるいはケーブル等の長材を梱包する、長材の梱包装置に関するものである。
【０００２】
【従来の技術および発明が解決しようとする課題】
従来、例えば、長材としての、架橋ポリエチレン製等の合成樹脂製の可撓性を備えた通水管は、数十ｍ単位の長尺体が巻回された状態で、樹脂バンドにより固定され、段ボール箱内に収容されていた。このように段ボール箱内に収容された通水管は、施工現場等において、巻回状態のまま段ボール箱内から取り出された。そして、この通水管は、例えば、ヘッダー等の湯水供給体と、水栓が接続される継手等の湯水消費体との間に所定の配管経路をもって配管された鞘管内に、先端側から順次送り込まれるようにして挿通された。
【０００３】
ところで、前記従来の巻回状態の通水管にあっては、巻き癖が強く、巻回状態の通水管を、回転させずにそのまま引き出すと、前記巻き癖と引き出された通水管の捩れにより、この通水管を鞘管内に挿通することが極めて困難であった。
【０００４】
そこで、例えば、複数人の作業者により、一人が巻回状態の通水管を回動可能に保持し、もう一人が通水管を先端側から順次引き出して鞘管内に挿通することで、その通水管を配管するようにしていた。また、別途、回転ドラムを用意し、段ボール箱内から取り出した巻回状態の通水管を、回転ドラムに装着し、その回転ドラムにより、巻回状態の通水管を回転させるようにして、通水管を先端側から引き出すこともあった。
【０００５】
しかし、上記のいずれの引き出し方法も、複数人の作業者を必要としたり、回転ドラムを用意する必要があったりして、面倒で作業性が悪かった。
【０００６】
そこで、出願人は、先の出願により、段ボール箱体内に通水管を回動可能に収容する梱包装置を提案しているが、かかる通水管は、相当の剛性を有するため、直径約１ｍ程度、厚さ３０ｃｍ程度で巻回された。そして、段ボール箱体内の巻回された通水管を縦型（巻回軸を水平）にして設置すると、すなわち梱包装置をいわゆる縦置型とすると、通水管を引き出す際に、その引張力により段ボール箱体が倒れ易く、配管作業が円滑に行なえないという問題があった。
【０００７】
また、前記通水管は、通常、運搬を容易にするため、その剛性に抗して、小さく巻回した状態でバンド等で固定された。そして、段ボール箱体内でバンドを除去すると、巻回された通水管は、段ボール箱体内で内径が大きくなるように広がった。ここで、前述の縦型設置の場合、軸体によって通水管の管束を支えているが、管束が自重によって変形して垂れ下がり、管束全体の回動が円滑になされない虞があった。さらに、前記垂れ下がった管束が、段ボール箱体の底面と擦れ、大きな抵抗となるという問題もあった。これを防止するために、段ボール箱体自身を必要以上に大きくすれば、運搬、保管等に大きな障害となる虞があった。
【０００８】
この発明は、上記した従来の欠点を解決するためになされたものであり、その目的とするところは、段ボール箱体内の、長材の巻回された巻回部を安定して回動させることができ、長材の配設作業の効率を向上させることができる、長材の梱包装置を提供することにある。
【０００９】
【課題を解決するための手段】
この発明に係る長材の梱包装置は、前記目的を達成するために、次の構成からなる。すなわち、
請求項１に記載の発明に係る長材の梱包装置は、可撓性を備えた長材を梱包する梱包装置である。この梱包装置は、周回状に巻回された前記長材を収容する段ボール箱体を備える。前記段ボール箱体には、その段ボール箱体を、前記長材の巻回された巻回部の一方の側面が下向きとなる状態で、回動可能に支持するターンテーブルが設けられる。そして、前記段ボール箱体は、前記長材を、その端部から順に外に引き出すための引出部を有し、前記引出部からの前記長材の引き出しに伴って、前記段ボール箱体が、前記ターンテーブルに支持されて前記巻回部が解かれるよう回動する。
【００１０】
これにより、梱包装置は、段ボール箱体を備え、この段ボール箱体に、周回状に巻回されて可撓性を備えた長材が収容される。このように、巻回された長材は、段ボール箱体に収容されて、保管されたり運搬されたりする。そして、段ボール箱体には、ターンテーブルが設けられており、このターンテーブルが、段ボール箱体を、長材の巻回された巻回部の一方の側面が下向きとなる状態で、回動可能に支持する。そこで、引出部から長材を引き出すと、段ボール箱体は、ターンテーブルに支持されて、前記巻回部が解かれるよう回動する。こうして、巻回部が段ボール箱体とともに回動して、その巻回部が解かれることから、長材が捩れることがなく、長材の巻き癖を取りながら引き出すことができる。また、このとき、巻回部は、その一方の側面が下向きとなる状態で段ボール箱体に収容されており、その巻回部の巻回状態がそれほど崩れることはない。このように、段ボール箱体は、ターンテーブルによって回動し、しかも、巻回部が、その一方の側面が下向きとなる状態で段ボール箱体に収容されて、その巻回部の巻回状態がそれほど崩れることなく回動するので、その巻回部は安定して回動する。
【００１１】
また、請求項２に記載の発明に係る長材の梱包装置のように、請求項１に記載の梱包装置において、前記ターンテーブルは、前記巻回部の一方の側面が下向きとなる状態で前記段ボール箱体が載置されるテーブル本体と、そのテーブル本体を回動可能に支持する支持体とからなってもよい。こうして、段ボール箱体は、テーブル本体に載置され、そのテーブル本体を支持体が回動可能に支持することから、この段ボール箱体は、テーブル本体を介して回動することとなる。
【００１２】
また、請求項３に記載の発明に係る長材の梱包装置のように、請求項２に記載の梱包装置において、前記ターンテーブルは、前記段ボール箱体を形成する壁部と一体となるよう、かつ、前記段ボール箱体から分離可能に形成されて、前記ターンテーブルが、前記段ボール箱体から分離された後に、前記段ボール箱体は、前記テーブル本体に載置されてもよい。
【００１３】
また、請求項４に記載の発明に係る長材の梱包装置のように、請求項３に記載の梱包装置において、前記ターンテーブルは、前記支持体が前記段ボール箱体の内側を向いた状態で、前記壁部と一体となってもよい。こうして、ターンテーブルが段ボール箱体から分離される前においては、支持体が段ボール箱体の内側を向いているので、段ボール箱体に収容された長材を、保管したり運搬したりする際に、支持体を破損させることがない。
【００１４】
また、請求項５に記載の発明に係る長材の梱包装置のように、請求項４に記載の梱包装置において、前記ターンテーブルは、前記引出部を塞ぐようにして、前記壁部と一体となり、前記ターンテーブルが前記段ボール箱体から分離されることで、前記引出部が開口してもよい。こうして、ターンテーブルが段ボール箱体から分離される前においては、ターンテーブルが引出部を塞いでいるので、段ボール箱体に収容された長材を、保管したり運搬したりする際に、引出部から段ボール箱体内に埃等が入ることがない。
【００１５】
また、請求項６に記載の発明に係る長材の梱包装置のように、請求項２ないし５のいずれか１項に記載の梱包装置において、前記テーブル本体と前記支持体とが擦る部分には、前記テーブル本体の回動を円滑にするための、滑材のコーティング層が設けられてもよい。こうして、テーブル本体と支持体との擦る部分に設けられた、滑材のコーティング層によって、テーブル本体、つまりは段ボール箱体および巻回部は、円滑に回動する。
【００１６】
また、請求項７に記載の発明に係る長材の梱包装置のように、請求項１ないし６のいずれか１項に記載の梱包装置において、前記長材は、合成樹脂製の可撓性を備えた配管材であってもよい。これにより、合成樹脂製の配管材が、巻き癖が強い場合であっても、巻回部が解かれるように回動することから、配管材が捩れることなく、その配管材の巻き癖を取りながら引き出すことができる。
【００１７】
また、請求項８に記載の発明に係る長材の梱包装置のように、請求項７に記載の梱包装置において、前記配管材は、架橋ポリエチレン製あるいはポリブデン製の通水管であってもよい。これにより、一般に巻き癖が強いと言われる、架橋ポリエチレン製あるいはポリブデン製の通水管であっても、巻回部が解かれるように回動することから、通水管が捩れることなく、その通水管の巻き癖を取りながら引き出すことができる。
【００１８】
【発明の実施の形態】
以下、この発明に係る長材の梱包装置の実施の形態を図面に基づいて説明する。
【００１９】
図１ないし図４は、本発明に係る長材の梱包装置の一実施の形態を示す。図中符号１は、可撓性を備えた長材、例えば、合成樹脂製の可撓性を備えた配管材としての、架橋ポリエチレン製あるいはポリブデン製の通水管である。２は、前記長材となる通水管１を梱包する梱包装置である。
【００２０】
この梱包装置２は、段ボール箱体３を備えている。この段ボール箱体３は、周回状に巻回された前記通水管１を収容する、例えば紙製の箱体からなる。そして、段ボール箱体３には、その段ボール箱体３を、通水管１の巻回された巻回部１ａの一方の側面１ｂが下向きとなる状態で、回動可能に支持するターンテーブル４が設けられている。ここで、段ボール箱体３は、通水管１を、その端部から順に外に引き出すための引出部３ａを有し、その引出部３ａからの通水管１の引き出しに伴って、段ボール箱体３が、ターンテーブル４に支持されて前記巻回部１ａが解かれるように回動する。
【００２１】
具体的には、段ボール箱体３は、紙製の段ボール、例えば両面段ボールからなり、直方体形状、特に扁平な正四角柱形状に形成されている。そして、前記引出部３ａは、段ボール箱体３に収容された通水管１をその巻回部１ａの内周１ｃ側から引き出し可能とすべく、巻回部１ａの他方の側面１ｄ側（すなわち、上面側）を覆う、段ボール箱体３の上壁３ｂに形成されている。詳細には、引出部３ａは、上壁３ｂの中央部分に、例えば円形形状に明けられた開口部からなる。また、この段ボール箱体３には、引出部３ａから通水管１を引き出す際に、通水管１の巻回部１ａが内側に入り込むのを防止すべく、巻回部１ａの内側に立設されて段ボール箱体３とともに回動するガイド部５が設けられている。このガイド部５は、円錐台とか角錐台等のように、上方ほど径小となるように形成されている（図示実施の形態においては、六角錐台形状となっている。）。こうして、巻回部１ａの内側、すなわち巻回部１ａとガイド部５との間に、通水管１を引き出すための空間が形成される。そして、ガイド部５は、下端が、段ボール箱体３の底壁３ｃに接着等により固定される。詳細には、そのガイド部５の下端に、鍔状に延設されたフランジ部５ａ、５ａが形成されており、ガイド部５は、このフランジ部５ａ、５ａにおいて、底壁３ｃに固定されている。ガイド部５の上端は、巻回部１ａの、他方の側面１ｄつまり上面の高さ位置に達することはなく、このガイド部５の上方にも、通水管１を引き出すための空間が形成されている。
【００２２】
ターンテーブル４は、図１および図２に示すように、前記巻回部１ａの一方の側面１ｂが下向きとなる状態で、段ボール箱体３が載置されるテーブル本体６と、そのテーブル本体６を回動可能に支持する支持体７とからなる。テーブル本体６は、例えば紙製の段ボール（図示実施の形態においては、複両面段ボール）からなり、その中央には、軸体８が固定される。詳細には、この軸体８は、筒状に形成されて、その上端が、テーブル本体６に接着等により接合される。そして、軸体８の下端には、鍔８ａが形成されている。支持体７は、例えば紙製の段ボールが複数積層され、それら複数の段ボールが、互いに接着等により接合されている。この支持体７は、中央に、軸孔７ａが明けられ、そして、この軸孔７ａの下部には、径大となった段部７ｂが形成されている。ここで、支持体７は、テーブル本体６を下方から支持し、また、軸孔７ａに軸体８が嵌まることで、テーブル本体６は、軸体８を中心にして回動可能となっている。さらに、軸孔７ａの段部７ｂに、軸体８の鍔８ａが係合することで、支持体７は、テーブル本体６に対して抜け止めされる。
【００２３】
また、図示実施の形態においては、テーブル本体６と支持体７との間、すなわち、テーブル本体６と支持体７とが擦る部分には、テーブル本体６の回動を円滑にするために、スラスト紙９が、例えば二枚挿入されている。このスラスト紙９には、蝋とかシリコン等の滑材のコーティング層（図示せず）が設けられているが、このコーティング層を設けることなく、スラスト紙９自身が、摩擦抵抗を軽減させるような材料からなっていてもよい。また、スラスト紙９は、二枚でなくとも、一枚であってもよく、その他の枚数であってもよい。さらには、スラスト紙９を挿入することなく、テーブル本体６または支持体７のいずれか一方、あるいは両方に、滑材のコーティング層を設けてもよく、また、この滑材のコーティング層を設けなくともよい。なお、段ボール箱体３が、ターンテーブル４のテーブル本体６に載置された際に、段ボール箱体３が、テーブル本体６からずれないように、そのテーブル本体６に固定される、固定手段が設けられるのが望ましい。
【００２４】
ところで、巻回された通水管１を、段ボール箱体３に収容して、保管あるいは運搬する際には、図４に示すように、ターンテーブル４は、段ボール箱体３を形成する壁部３ｄと一体となるよう、かつ、段ボール箱体３から分離可能に形成されている。このとき、ターンテーブル４は、支持体７が段ボール箱体３の内側を向いた状態で、壁部３ｄと一体となっている。より詳細には、引出部３ａを塞ぐようにして、壁部３ｄと一体となっている。図示実施の形態においては、ターンテーブル４は、上壁３ｂと一体となっている。すなわち、ターンテーブル４におけるテーブル本体６が、外側から上壁３ｂに重ねられ、支持体７が、引出部３ａから、段ボール箱体３内に進入している。そして、テーブル本体６、つまりはターンテーブル４が、段ボール箱体３に、取外し可能な固着手段（図示せず）によって固定されている。そして、この固着手段は、例えば、テーブル本体６と段ボール箱体３の壁部３ｄとを取外し可能に止める、ステップルや接着材、あるいは、テーブル本体６と段ボール箱体３の壁部３ｄとに掛け渡される紐等の掛渡し材等（図示せず）からなる。
【００２５】
そして、段ボール箱体３から通水管１を引き出す際には、ターンテーブル４が、段ボール箱体３から分離されて、配置面Ｆに配置され、その後に、段ボール箱体３が、テーブル本体６に載置される。そして、このようにターンテーブル４が段ボール箱体３から分離されて、引出部３ａからターンテーブル４が取り除かれることで、引出部３ａは開口する。
【００２６】
なお、図示実施の形態においては、梱包装置２は、保管あるいは運搬状態（図４参照）と使用状態（図１参照）とは異なっているが、この使用状態（通水管１が引き出されるときの、段ボール箱体３に対するターンテーブル４の配備状態）のまま、すなわち、ターンテーブル４が、支持体７を外側にして段ボール箱体３に固定された状態で、段ボール箱体３に収容された通水管１を、保管したり運搬してもよい。こうすることで、通水管１を段ボール箱体３から引き出すにあたって、ターンテーブル４を段ボール箱体３に対して付けかえる必要がなく、通水管１の配管作業（配設作業）を迅速に行なうことができる。
【００２７】
次に、以上の構成からなる梱包装置２の作用効果について説明する。この梱包装置２によると、段ボール箱体３に、周回状に巻回されて可撓性を備えた通水管１が収容される。このように、巻回された通水管１は、段ボール箱体３に収容されて、保管されたり運搬されたりする。そして、段ボール箱体３には、ターンテーブル４が設けられており、このターンテーブル４が、段ボール箱体３を、通水管１の巻回された巻回部１ａの一方の側面１ｂが下向きとなる状態で、回動可能に支持する。そこで、引出部３ａから通水管１を引き出すと、段ボール箱体３は、ターンテーブル４に支持されて、前記巻回部１ａが解かれるよう回動する（詳細には、段ボール箱体３は、テーブル本体６に載置され、そのテーブル本体６を支持体７が回動可能に支持することから、この段ボール箱体３は、テーブル本体６を介して回動することとなる。）。こうして、巻回部１ａが段ボール箱体３とともに回動して、その巻回部１ａが解かれることから、通水管１が捩れることがない。したがって、通水管１の巻き癖を取りながら引き出すことができ、架橋ポリエチレン製あるいはポリブデン製の通水管１であっても、簡単かつ容易に引き出して配管する（例えば、予め所定の配管経路に沿って配備された鞘管内に挿通する）ことができる。
【００２８】
また、このとき、巻回部１ａは、その一方の側面１ｂが下向きとなる状態で段ボール箱体３に収容されており、その巻回部１ａの巻回状態がそれほど崩れることはない。こうして、段ボール箱体３は、ターンテーブル４によって回動し、しかも、巻回部１ａが、その一方の側面１ｂが下向きとなる状態で段ボール箱体３に収容されて、その巻回部１ａの巻回状態がそれほど崩れることなく回動するので、その巻回部１ａは安定して回動する。したがって、通水管１の配管作業（配設作業）の効率を向上させることができる。
【００２９】
その上、巻回部１ａの内側に立設されたガイド部５により、巻回部１ａが内側に入り込むのを防止することができ、この巻回部１ａは、一層安定して回動する。
【００３０】
そして、この梱包装置２は、段ボール箱体３に、通水管１の巻回部１ａが、その一方の側面１ｂが下向きとなる状態で収容されることから、いわゆる横置型（巻回軸が鉛直）となっており、配管作業中に、段ボール箱体３、つまりは梱包装置２が倒れるのを防止することができる。また、従来のいわゆる縦置型に比して、巻回部１ａの自重による変形をなくすことができる。
【００３１】
また、ターンテーブル４が段ボール箱体３から分離される前においては、支持体７が段ボール箱体３の内側を向いているので、段ボール箱体３に収容された通水管１を、保管したり運搬したりする際に、支持体７を破損させることがない。しかも、ターンテーブル４が段ボール箱体３から分離される前においては、ターンテーブル４が引出部３ａを塞いでいるので、段ボール箱体３に収容された通水管１を、保管したり運搬したりする際に、引出部３ａから段ボール箱体３内に埃等が入ることがない。そして、段ボール箱体３から通水管１を引き出すにあたって、ターンテーブル４を段ボール箱体３から分離することで、簡単に引出部３ａを形成することができる。
【００３２】
また、テーブル本体６と支持体７との擦る部分に設けられた、スラスト紙９の、滑材のコーティング層によって、テーブル本体６、つまりは段ボール箱体３および巻回部１ａを、円滑に回動させることができる。
【００３３】
なお、本発明は、上述した実施の形態に限定されるわけではなく、その他種々の変更が可能である。例えば、ターンテーブル４は、テーブル本体６と、支持体７とからなるが、テーブル本体６をなくし、支持体７が、段ボール箱体３を直接、回動可能に支持するようにしてもよい。すなわち、段ボール箱体３の底壁３ｃに、テーブル本体の機能を持たせてもよい。
【００３４】
また、引出部３ａは、段ボール箱体３の上壁３ｂに明けられて、その引出部３ａを通して、通水管１がその巻回部１ａの内周１ｃ側から引き出されるが、例えば、段ボール箱体３の側壁３ｅの全周を取り除く、あるいは折り曲げて開口させて、段ボール箱体３の側方全周を引出部３ａとすることで、通水管１をその巻回部１ａの外周１ｅ側から引き出すようにしてもよい。そして、この場合、段ボール箱体３の上壁３ｂを、例えばガイド部５により保持するようにしてもよく、また、側壁３ｅとともに上壁３ｂもまた取り除く等してもよい。
【００３５】
また、長材は、架橋ポリエチレン製あるいはポリブデン製の通水管１でなくとも、その他の合成樹脂からなる通水管であってもよく、また、通水管でなくとも、電線とか通水管等を収容する鞘管等の配管材であってもよい。さらには、長材は、配管材でなくとも、配線材等であってもよい。
【００３６】
【発明の効果】
以上、詳述したところから明らかなように、この発明に係る長材の梱包装置によれば、次の効果がある。
【００３７】
請求項１に記載された長材の梱包装置によれば、段ボール箱体は、ターンテーブルによって回動し、しかも、巻回部が、その一方の側面が下向きとなる状態で段ボール箱体に収容されて、その巻回部の巻回状態がそれほど崩れることなく回動するので、段ボール箱体内の、長材の巻回された巻回部を安定して回動させることができ、長材の配設作業の効率を向上させることができる。
【００３８】
また、請求項２または３に記載された長材の梱包装置によれば、請求項１の効果に加えて、段ボール箱体がテーブル本体に載置され、そのテーブル本体を支持体が回動可能に支持することから、この段ボール箱体を、テーブル本体を介して回動させることができる。
【００３９】
また、請求項４に記載された長材の梱包装置によれば、請求項３の効果に加えて、ターンテーブルが段ボール箱体から分離される前においては、支持体が段ボール箱体の内側を向いているので、段ボール箱体に収容された長材を、保管したり運搬したりする際に、支持体を破損させることがない。
【００４０】
また、請求項５に記載された長材の梱包装置によれば、請求項４の効果に加えて、ターンテーブルが段ボール箱体から分離される前においては、ターンテーブルが引出部を塞いでいるので、段ボール箱体に収容された長材を、保管したり運搬したりする際に、引出部から段ボール箱体内に埃等が入ることがない。
【００４１】
また、請求項６に記載された長材の梱包装置によれば、請求項２ないし５のいずれか１項の効果に加えて、テーブル本体と支持体との擦る部分に設けられた、滑材のコーティング層によって、テーブル本体、つまりは段ボール箱体および巻回部を、円滑に回動させることができる。
【００４２】
また、請求項７または８に記載された長材の梱包装置によれば、請求項１ないし６のいずれか１項の効果に加えて、合成樹脂製の配管材が、巻き癖が強い場合であっても、巻回部が解かれるように回動することから、配管材が捩れることなく、その配管材の巻き癖を取りながら引き出すことができる。
【図面の簡単な説明】
【図１】この発明に係る長材の梱包装置の一実施の形態の、使用状態を示す縦断面図である。
【図２】同じく、図１における要部拡大図である。
【図３】同じく、図１におけるＡ−Ａ線による断面図である。
【図４】同じく、保管あるいは運搬状態を示す縦断面図である。
【符号の説明】
１　通水管（配管材、長材）　　　　１ａ　巻回部
１ｂ　一方の側面　　　　　　　　　２　梱包装置
３　段ボール箱体　　　　　　　　　３ａ　引出部
３ｄ　壁部　　　　　　　　　　　　４　ターンテーブル
６　テーブル本体　　　　　　　　　７　支持体
【図１】
2004075077.tif 000003
【図２】
2004075077.tif 000004
【図３】
2004075077.tif 000005
【図４】
2004075077.tif 000006